(57)【要約】【課題】  ボタン操作１回で撮影可能状態或いは再生可能状態となる撮像装置及びモード切換動作プログラムの提供。【解決手段】  撮像装置は、主電源をオン／オフする電源ボタンを必要とせず、モード切換等に用いられ、ボタンを押したときにボタンが押される直前の状態が電源オフの場合は撮影モードになると共に略同時に電源オンとなり、直前の状態が再生モードの場合は撮影モードになり、直前の状態が撮影モードの場合は電源オフとなる撮影モードボタンと、モード切換等に用いられ、ボタンを押したときにボタンが押される直前の状態が電源オフの場合は再生モードになると共に略同時に電源オンとなり、直前の状態が再生モードの場合は電源オフとなり、直前の状態が撮影モードの場合は再生モードとなる再生モードボタンを配置してなる。【選択図】  図３
2005204109.tif 000002
【特許請求の範囲】
【請求項１】
被写体を撮影してその画像データを生成し、該画像データを所定のデータファイルとして保存メモリに記録する撮影モードと、前記保存メモリに記録されている画像データを再生出力する再生モードを備えた撮像装置において、
ユーザによって適宜操作される、撮影モードキー及び再生モードキーと、
前記モードキーの操作前の電源及び処理モードの状態を検出する手段と、
検出されたキー操作前の電源の状態がオフのとき、操作されたモードキーと同一のモードで電源をオンにする第１の切換動作制御手段と、
検出されたキー操作前の処理モードが操作されたモードキーと異なるモードのとき、処理モードを操作されたモードキーと同一のモードに切換える第２の切換動作制御手段と、
検出されたキー操作前の処理モードが操作されたモードキーと同一のモードのとき、電源をオフにする第３の切換動作制御手段と、
を備えたことを特徴とする撮像装置。
【請求項２】
被写体を撮影してその画像データを生成し、該画像データを所定のデータファイルとして保存メモリに記録する撮影モードと、前記保存メモリに記録されている画像データを再生出力する再生モードを備えた撮像装置において、
ユーザによって適宜操作される、シャッターキー及び再生モードキーと、
前記再生モードキーの操作前の電源及び処理モードの状態を検出する手段と、
前記シャッターキーの操作により、撮影モードで電源をオンにする第１の切換動作制御手段と、
検出された再生モードキーの操作前の状態が再生モードと異なるときは前記再生モードキーの操作により処理モードを再生モードに切換え、再生モードのときは電源をオフにする第２の切換動作制御手段と、
を備えたことを特徴とする撮像装置。
【請求項３】
被写体を撮影してその画像データを生成し、該画像データを所定のデータファイルとして保存メモリに記録する撮影モードと、前記保存メモリに記録されている画像データを再生出力する再生モードを備えた撮像装置において、
ユーザによって適宜操作される、電源キー及びモード切換キーと、
前記電源ボタン及びモード切換キーの操作前の電源及び処理モードの状態を検出する手段と、
検出されたキー操作前の電源の状態がオフのとき、キーが操作されると撮影モードで電源をオンにする第１の切換動作制御手段と、
検出されたモード切換キーの操作前の電源の状態がオンのとき、処理モードをモード切換キーの操作前の処理モードとは異なるモードに切換える第２の切換動作制御手段と、
を備えたことを特徴とする撮像装置。
【請求項４】
被写体を撮影してその画像データを生成し、該画像データを所定のデータファイルとして保存メモリに記録する撮影モードと、前記保存メモリに記録されている画像データを再生出力する再生モードを備えた撮像装置において、
ユーザによって適宜操作される、撮影モードキー及び再生モードキーと、
前記撮影モードキーの操作があったとき、キー操作前の電源及び処理モードの状態を検出する手段と、検出されたキー操作前の電源の状態がオフのとき撮影モードで電源をオンにする手段と、キー操作前の処理モードが再生モードのとき処理モードを撮影モードに切換える手段と、キー操作前の処理モードが撮影モードのとき電源をオフにする手段と、を含む第１の切換動作制御手段と、
前記再生モードキーの操作があったとき、キー操作前の電源及び処理モードの状態を検出する手段と、検出されたキー操作前の電源の状態がオフのとき再生モードで電源をオンにする手段と、キー操作前の処理モードが再生モードのとき電源をオフにする手段と、キー操作前の処理モードが撮影モードのとき処理モードを再生モードに切換える手段と、を含む第２の切換動作制御手段と、
を備えたことを特徴とする撮像装置。
【請求項５】
被写体を撮影してその画像データを生成し、該画像データを所定のデータファイルとして保存メモリに記録する撮影モードと、前記保存メモリに記録されている画像データを再生出力する再生モードを備えた撮像装置において、
ユーザによって適宜操作される、シャッターキー及び再生モードキーと、
前記シャッターキーの操作があったとき、キー操作前の電源及び処理モードの状態を検出する手段と、検出されたキー操作前の電源の状態がオフのとき撮影モードで電源をオンにする手段と、キー操作前の処理モードが再生モードのとき処理モードを撮影モードに切換える手段と、キー操作前の処理モードが撮影モードのとき撮影指示を行う手段と、を含む第１の切換動作制御手段と、
前記再生モードキーの操作があったとき、キー操作前の電源及び処理モードの状態を検出する手段と、検出されたキー操作前の電源の状態がオフのとき再生モードで電源をオンにする手段と、キー操作前の処理モードが再生モードのとき電源をオフにする手段と、キー操作前の処理モードが撮影モードのとき処理モードを再生モードに切換える手段と、キー操作前の状態が撮影モードのときキーが所定時間以上所定状態に維持されているときは電源をオフとする手段と、を含む第２の切換動作制御手段と、
を備えたことを特徴とする撮像装置。
【請求項６】
被写体を撮影してその画像データを生成し、該画像データを所定のデータファイルとして保存メモリに記録する撮影モードと、前記保存メモリに記録されている画像データを再生出力する再生モードを備えた撮像装置において、
ユーザによって適宜操作される、電源キー及びモード切換キーと、
前記電源キーの操作があったとき、キー操作前の電源及び処理モードの状態を検出する手段と、検出されたキー操作前の電源の状態がオフのとき撮影モードで電源をオンにする手段と、キー操作前の処理モードが再生モードのとき電源をオフにする手段と、キー操作前の処理モードが撮影モードのとき電源をオフにする手段と、を含む第１の切換動作制御手段と、
前記モード切換キーの操作があったとき、キー操作前の電源及び処理モードの状態を検出する手段と、検出されたキー操作前の電源の状態がオフのとき撮影モードで電源をオンにする手段と、キー操作前の処理モードが再生モードのとき処理モードを撮影モードに切換える手段と、キー操作前の処理モードが撮影モードのとき処理モードを再生モードに切換える手段と、を含む第２の切換動作制御手段と、
を備えたことを特徴とする撮像装置。
【請求項７】
前記第２の切換動作制御手段は、前記モード切換キーの操作により、処理モードが撮影モードに切換えられたときは該モード切換キーを所定の色に発光させ、処理モードが再生モードに切換えられたときは前記撮影モードでの発光色と異なる色に発光させる手段を含むことを特徴とする請求項３又は６に記載の撮像装置。
【請求項８】
被写体を撮影してその画像データを生成し、該画像データを所定のデータファイルとして保存メモリに記録する撮影モードと、前記保存メモリに記録されている画像データを再生出力する再生モードと、ユーザによって適宜操作される、撮影モードキー及び再生モードキーとを備えた撮像装置においてモード切換え時に実行されるプログラムであって、
前記撮影モードキーの操作の有無を検出させるプログラムステップと、前記撮影モードキーの操作があったとき、キー操作前の電源及び処理モードの状態を検出させるプログラムステップと、検出されたキー操作前の電源の状態がオフのとき撮影モードで電源をオンにさせるプログラムステップと、キー操作前の処理モードが再生モードのとき処理モードを撮影モードに切換えさせるプログラムステップと、キー操作前の処理モードが撮影モードのとき電源をオフにさせるプログラムステップと、
前記再生モードキーの操作の有無を検出させるプログラムステップと、前記再生モードキーの操作があったとき、キー操作前の電源及び処理モードの状態を検出させるプログラムステップと、検出されたキー操作前の電源の状態がオフのとき再生モードで電源をオンにさせるプログラムステップと、キー操作前の処理モードが再生モードのとき電源をオフにさせるプログラムステップと、キー操作前の処理モードが撮影モードのとき処理モードを再生モードに切換えさせるプログラムステップと、
を備えたことを特徴とするモード切換動作プログラム。
【請求項９】
被写体を撮影してその画像データを生成し、該画像データを所定のデータファイルとして保存メモリに記録する撮影モードと、前記保存メモリに記録されている画像データを再生出力する再生モードと、ユーザによって適宜操作される、シャッターキー及び再生モードキーとを備えた撮像装置においてモード切換え時に実行されるプログラムであって、
前記シャッターキーの操作の有無を検出させるプログラムステップと、前記シャッターキーの操作があったとき、キー操作前の電源及び処理モードの状態を検出させるプログラムステップと、検出されたキー操作前の電源の状態がオフのとき撮影モードで電源をオンにさせるプログラムステップと、キー操作前の処理モードが再生モードのとき処理モードを撮影モードに切換えさせるプログラムステップと、キー操作前の処理モードが撮影モードのとき撮影指示を行うプログラムステップと、
前記再生モードキーの操作の有無を検出させるプログラムステップと、前記再生モードキーの操作があったとき、キー操作前の電源及び処理モードの状態を検出するプログラムステップと、検出されたキー操作前の電源の状態がオフのとき再生モードで電源をオンにさせる手段と、キー操作前の処理モードが再生モードのとき電源をオフにさせるプログラムステップと、キー操作前の処理モードが撮影モードのとき処理モードを再生モードに切換えさせるプログラムステップと、キー操作前の状態が撮影モードのときキーが所定時間以上所定状態に維持されているときは電源をオフとさせるプログラムステップと、
を備えたことを特徴とするモード切換動作プログラム。
【請求項１０】
被写体を撮影してその画像データを生成し、該画像データを所定のデータファイルとして保存メモリに記録する撮影モードと、前記保存メモリに記録されている画像データを再生出力する再生モードと、ユーザによって適宜操作される、電源キー及びモード切換えキーとを備えた撮像装置においてモード切換え時に実行されるプログラムであって、
前記電源キーの操作の有無を検出させるプログラムステップと、前記電源キーの操作があったとき、キー操作前の電源及び処理モードの状態を検出させるプログラムステップと、検出されたキー操作前の電源の状態がオフのとき撮影モードで電源をオンにさせるプログラムステップと、キー操作前の処理モードが再生モードのとき電源をオフにさせるプログラムステップと、キー操作前の処理モードが撮影モードのとき電源をオフにさせるプログラムステップと、
前記モード切換キーの操作の有無を検出させるプログラムステップと、前記モード切換キーの操作があったとき、キー操作前の電源及び処理モードの状態を検出させるプログラムステップと、検出されたキー操作前の電源の状態がオフのとき撮影モードで電源をオンにさせるプログラムステップと、キー操作前の処理モードが再生モードのとき処理モードを撮影モードに切換えさせるプログラムステップと、キー操作前の処理モードが撮影モードのとき処理モードを再生モードに切換えさせるプログラムステップと、
を備えたことを特徴とするモード切換動作プログラム。
【発明の詳細な説明】
【技術分野】
【０００１】
本発明は、ボタン操作１回で撮影可能状態或いは再生可能状態となる撮像装置及びモード切換動作プログラムに関する。
【背景技術】
【０００２】
従来、電子カメラで撮影又は再生を行うには、電子カメラに設けられた主電源スイッチと再生モードと撮影モードのモード切換えを行うモード切換えスイッチ（例えば、スライドスイッチ）を操作して、主電源のオン／オフと再生（ＰＬＡＹ）モード／撮影（ＲＥＣ）モードの切換えを別々に行っていた。
【０００３】
或いは、電源スイッチと兼用されるスイッチであって、撮影モードに設定される第１のスイッチ停止位置と再生モードのみ設定される第２のスイッチ停止位置との間に電源オフとなる第３のスイッチ停止位置が設けられているモード切換スイッチを備え、主電源のオン／オフと再生モード／撮影モードの切換えをそのモード切換スイッチで操作するようにした電子カメラが提案されている（例えば、特許文献１参照）。
【０００４】
【特許文献１】特開２０００−３０７９１９号公報
【発明の開示】
【発明が解決しようとする課題】
【０００５】
しかしながら、上述した主電源のオン／オフと再生モード／撮影モードの切換えを別々に行うタイプの電子カメラでは、主電源オフの状態から主電源オンの状態に切換えたときにモードが再生モードになっているとモード切換スイッチを操作して撮影モードに切換えてから撮影を行う必要があるので切換の手間がかかり、直ぐに撮影できなかったり、モードが撮影モードになっているとモード切換スイッチを操作して再生モードに切換えなければならないので切換の手間がかかるといった課題があった。
【０００６】
また、上記特許文献１に記載の電子カメラでは、再生モードから撮影モードに切換えたり撮影モードから再生モードに切換える際に、電源オフとなる第３のスイッチ停止位置を通過するため、一度主電源オフの処理を行ってから撮影モード或いは再生モードで電源オンすることとなり、急いで撮影／再生したい場合に撮影可能状態／再生可能状態にするのに手間がかかるといった課題があった。
【０００７】
本発明は上記課題を解決するためになされたものであり、ボタン操作１回で撮影可能状態或いは再生可能状態となる撮像装置及びモード切換動作プログラムの提供を目的とする。
【課題を解決するための手段】
【０００８】
上記課題を解決するために、請求項１記載の発明では、被写体を撮影してその画像データを生成し、該画像データを所定のデータファイルとして保存メモリに記録する撮影モードと、保存メモリに記録されている画像データを再生出力する再生モードを備えた撮像装置において、ユーザによって適宜操作される、撮影モードキー及び再生モードキーと、モードキーの操作前の電源及び処理モードの状態を検出する手段と、検出されたキー操作前の電源の状態がオフのとき、操作されたモードキーと同一のモードで電源をオンにする第１の切換動作制御手段と、検出されたキー操作前の処理モードが操作されたモードキーと異なるモードのとき、処理モードを操作されたモードキーと同一のモードに切換える第２の切換動作制御手段と、検出されたキー操作前の処理モードが操作されたモードキーと同一のモードのとき、電源をオフにする第３の切換動作制御手段と、を備えたことを特徴とする撮像装置を提供する。  
これにより、電源がオフのときは、撮影モードボタンを押すだけで電源オンとなって撮影可能状態となり、再生モードボタンを押すだけで電源オンとなり再生可能状態となるので、電源ボタンを要しない。つまり、操作キーを１つ減らすことができる。また、キーを１回操作するだけで切換えができるので切換え操作が簡単になる。
【０００９】
また、請求項２に記載の発明では、被写体を撮影してその画像データを生成し、該画像データを所定のデータファイルとして保存メモリに記録する撮影モードと、保存メモリに記録されている画像データを再生出力する再生モードを備えた撮像装置において、ユーザによって適宜操作される、シャッターキー及び再生モードキーと、再生モードキーの操作前の電源及び処理モードの状態を検出する手段と、シャッターキーの操作により、撮影モードで電源をオンにする第１の切換動作制御手段と、検出された再生モードキーの操作前の状態が再生モードと異なるときは再生モードキーの操作により処理モードを再生モードに切換え、再生モードのときは電源をオフにする第２の切換動作制御手段と、を備えたことを特徴とする撮像装置を提供する。  
これにより、電源がオフのときは、シャッターキーの操作で電源がオンとなって撮影可能状態となり、再生モードボタンを押すだけで電源オンとなり再生可能状態となるので、電源キー及び撮影モードキーを要しない。つまり、操作キーを２つ減らすことができる。また、キーを１回操作するだけで切換えができるので切換え操作が簡単になる。
【００１０】
また、請求項３に記載の発明では、被写体を撮影してその画像データを生成し、該画像データを所定のデータファイルとして保存メモリに記録する撮影モードと、保存メモリに記録されている画像データを再生出力する再生モードを備えた撮像装置において、ユーザによって適宜操作される、電源キー及びモード切換キーと、電源ボタン及びモード切換キーの操作前の電源及び処理モードの状態を検出する手段と、検出されたキー操作前の電源の状態がオフのとき、キーが操作されると撮影モードで電源をオンにする第１の切換動作制御手段と、検出されたモード切換キーの操作前の電源の状態がオンのとき、処理モードをモード切換キーの操作前の処理モードとは異なるモードに切換える第２の切換動作制御手段と、を備えたことを特徴とする撮像装置を提供する。  
これにより、電源がオフのときは、電源キー又はモード切換キーの操作で電源がオンとなって撮影可能状態となり、電源がオンの場合はモード切換えキーの操作でモードを切換えることができるので、切換えの手間がかからず、切換え操作が簡単になる。
【００１１】
また、請求項４に記載の発明では、被写体を撮影してその画像データを生成し、該画像データを所定のデータファイルとして保存メモリに記録する撮影モードと、保存メモリに記録されている画像データを再生出力する再生モードを備えた撮像装置において、ユーザによって適宜操作される、撮影モードキー及び再生モードキーと、撮影モードキーの操作があったとき、キー操作前の電源及び処理モードの状態を検出する手段と、検出されたキー操作前の電源の状態がオフのとき撮影モードで電源をオンにする手段と、キー操作前の処理モードが再生モードのとき処理モードを撮影モードに切換える手段と、キー操作前の処理モードが撮影モードのとき電源をオフにする手段と、を含む第１の切換動作制御手段と、再生モードキーの操作があったとき、キー操作前の電源及び処理モードの状態を検出する手段と、検出されたキー操作前の電源の状態がオフのとき再生モードで電源をオンにする手段と、キー操作前の処理モードが再生モードのとき電源をオフにする手段と、キー操作前の処理モードが撮影モードのとき処理モードを再生モードに切換える手段と、を含む第２の切換動作制御手段と、を備えたことを特徴とする撮像装置を提供する。  
これにより、電源オフの状態や再生モードから直ちに撮影モードに切換えることができるので従来のようにモード切換の手間がかからず、急いでいる場合でも直ぐに撮影できる。また、源オフの状態や撮影モードから直ちに再生モードに切換えることができるので従来のようにモード切換の手間がかからない。また、電源キーがなくても撮影モードキー又は再生モードキーの操作で電源をオンとし撮影可能状態又は再生可能状態にできるので、キーを一つ減らすことができる。
【００１２】
また、請求項５に記載の発明では、被写体を撮影してその画像データを生成し、該画像データを所定のデータファイルとして保存メモリに記録する撮影モードと、保存メモリに記録されている画像データを再生出力する再生モードを備えた撮像装置において、ユーザによって適宜操作される、シャッターキー及び再生モードキーと、シャッターキーの操作があったとき、キー操作前の電源及び処理モードの状態を検出する手段と、検出されたキー操作前の電源の状態がオフのとき撮影モードで電源をオンにする手段と、キー操作前の処理モードが再生モードのとき処理モードを撮影モードに切換える手段と、キー操作前の処理モードが撮影モードのとき撮影指示を行う手段と、を含む第１の切換動作制御手段と、再生モードキーの操作があったとき、キー操作前の電源及び処理モードの状態を検出する手段と、検出されたキー操作前の電源の状態がオフのとき再生モードで電源をオンにする手段と、キー操作前の処理モードが再生モードのとき電源をオフにする手段と、キー操作前の処理モードが撮影モードのとき処理モードを再生モードに切換える手段と、キー操作前の状態が撮影モードのときキーが所定時間以上所定状態に維持されているときは電源をオフとする手段と、を含む第２の切換動作制御手段と、を備えたことを特徴とする撮像装置を提供する。  
これにより、電源オフの状態や再生モードから直ちに撮影モードに切換えることができるので従来のようにモード切換の手間がかからない。また、シャッターキーの操作で電源を入れて直ぐに撮影できるので、急いでいる場合にも直ぐに対応できる。また、電源オフの状態や撮影モードから直ちに再生モードに切換えることができるので従来のようにモード切換の手間がかからない。また、主電源ボタン及び撮影モードボタンが無くてもシャッターキー又は再生モードキーの操作で電源をオンとし撮影可能状態又は再生可能状態にできるので、ボタンを２つ減らすことができる。
【００１３】
また、請求項６に記載の発明では、被写体を撮影してその画像データを生成し、該画像データを所定のデータファイルとして保存メモリに記録する撮影モードと、保存メモリに記録されている画像データを再生出力する再生モードを備えた撮像装置において、ユーザによって適宜操作される、電源キー及びモード切換キーと、電源キーの操作があったとき、キー操作前の電源及び処理モードの状態を検出する手段と、検出されたキー操作前の電源の状態がオフのとき撮影モードで電源をオンにする手段と、キー操作前の処理モードが再生モードのとき電源をオフにする手段と、キー操作前の処理モードが撮影モードのとき電源をオフにする手段と、を含む第１の切換動作制御手段と、モード切換キーの操作があったとき、キー操作前の電源及び処理モードの状態を検出する手段と、検出されたキー操作前の電源の状態がオフのとき撮影モードで電源をオンにする手段と、キー操作前の処理モードが再生モードのとき処理モードを撮影モードに切換える手段と、キー操作前の処理モードが撮影モードのとき処理モードを再生モードに切換える手段と、を含む第２の切換動作制御手段と、を備えたことを特徴とする撮像装置を提供する。  
これにより、電源オフの場合、電源キー或いはモード切換キーの操作で必ず撮影モードに切り替わると共に電源オンとなり、電源がオンのときは、モード切換キーの操作により再生モードから直ちに撮影モードに切換わったり、撮影モードから直ちに再生モードに切換わるので従来のようにモード切換の手間がかからない。また、電源キー或いはモード切換えキーの操作で電源が入り撮影可能状態となり、直ぐに撮影できるので、急いでいる場合にも対応できる。
【００１４】
また、請求項７に記載の発明では、第２の切換動作制御手段は、モード切換キーの操作により、処理モードが撮影モードに切換えられたときは該モード切換えキーを所定の色に発光させ、処理モードが再生モードに切換えられたときは撮影モードでの発光色と異なる色に発光させる手段を含むことを特徴とする請求項３又は６に記載の撮像装置を提供する。これにより、モード切換キーを切換え後のモードに応じて発光させるので、ユーザは現在のモードを確認することができる。
【００１５】
また、請求項８に記載の発明では、被写体を撮影してその画像データを生成し、該画像データを所定のデータファイルとして保存メモリに記録する撮影モードと、保存メモリに記録されている画像データを再生出力する再生モードと、ユーザによって適宜操作される、撮影モードキー及び再生モードキーとを備えた撮像装置においてモード切換え時に実行されるプログラムであって、撮影モードキーの操作の有無を検出させるプログラムステップと、撮影モードキーの操作があったとき、キー操作前の電源及び処理モードの状態を検出させるプログラムステップと、検出されたキー操作前の電源の状態がオフのとき撮影モードで電源をオンにさせるプログラムステップと、キー操作前の処理モードが再生モードのとき処理モードを撮影モードに切換えさせるプログラムステップと、キー操作前の処理モードが撮影モードのとき電源をオフにさせるプログラムステップと、再生モードキーの操作の有無を検出させるプログラムステップと、再生モードキーの操作があったとき、キー操作前の電源及び処理モードの状態を検出させるプログラムステップと、検出されたキー操作前の電源の状態がオフのとき再生モードで電源をオンにさせるプログラムステップと、キー操作前の処理モードが再生モードのとき電源をオフにさせるプログラムステップと、キー操作前の処理モードが撮影モードのとき処理モードを再生モードに切換えさせるプログラムステップと、を備えたことを特徴とするモード切換動作プログラムを提供する。  
これにより、キー操作前の電源の状態がオフのとき、処理モードを操作されたモードキーと同一のモードにして電源をオンにし、キー操作前の処理モードが操作されたモードキーと異なるモードのとき、処理モードを操作されたモードキーと同一のモードに切換え、キー操作前の処理モードが操作されたモードキーと同一のモードのとき、電源をオフにすることができるので、電源オフの状態や再生モードから直ちに撮影モードに切換えることができる。
【００１６】
また、請求項９に記載の発明では、被写体を撮影してその画像データを生成し、該画像データを所定のデータファイルとして保存メモリに記録する撮影モードと、保存メモリに記録されている画像データを再生出力する再生モードと、ユーザによって適宜操作される、シャッターキー及び再生モードキーとを備えた撮像装置においてモード切換え時に実行されるプログラムであって、シャッターキーの操作の有無を検出させるプログラムステップと、シャッターキーの操作があったとき、キー操作前の電源及び処理モードの状態を検出させるプログラムステップと、検出されたキー操作前の電源の状態がオフのとき撮影モードで電源をオンにさせるプログラムステップと、キー操作前の処理モードが再生モードのとき処理モードを撮影モードに切換えさせるプログラムステップと、キー操作前の処理モードが撮影モードのとき撮影指示を行うプログラムステップと、再生モードキーの操作の有無を検出させるプログラムステップと、再生モードキーの操作があったとき、キー操作前の電源及び処理モードの状態を検出するプログラムステップと、検出されたキー操作前の電源の状態がオフのとき再生モードで電源をオンにさせる手段と、キー操作前の処理モードが再生モードのとき電源をオフにさせるプログラムステップと、キー操作前の処理モードが撮影モードのとき処理モードを再生モードに切換えさせるプログラムステップと、キー操作前の状態が撮影モードのときキーが所定時間以上所定状態に維持されているときは電源をオフとさせるプログラムステップと、を備えたことを特徴とするモード切換動作プログラムを提供する。  
これにより、シャッターキーの操作により、処理モードを操作された撮影モードにし、キー操作前の状態が再生モードと異なるときは再生モードキーの操作により処理モードを再生モードに切換え、再生モードのときは電源をオフにできるので、電源がオフのときは、シャッターキーの操作で電源がオンとなって撮影可能状態となり、再生モードボタンを押すだけで電源オンとなり再生可能状態となる。
【００１７】
また、請求項１０に記載の発明では、被写体を撮影してその画像データを生成し、該画像データを所定のデータファイルとして保存メモリに記録する撮影モードと、保存メモリに記録されている画像データを再生出力する再生モードと、ユーザによって適宜操作される、電源キー及びモード切換えキーとを備えた撮像装置においてモード切換え時に実行されるプログラムであって、電源キーの操作の有無を検出させるプログラムステップと、電源キーの操作があったとき、キー操作前の電源及び処理モードの状態を検出させるプログラムステップと、検出されたキー操作前の電源の状態がオフのとき撮影モードで電源をオンにさせるプログラムステップと、キー操作前の処理モードが再生モードのとき電源をオフにさせるプログラムステップと、キー操作前の処理モードが撮影モードのとき電源をオフにさせるプログラムステップと、モード切換キーの操作の有無を検出させるプログラムステップと、モード切換キーの操作があったとき、キー操作前の電源及び処理モードの状態を検出させるプログラムステップと、検出されたキー操作前の電源の状態がオフのとき撮影モードで電源をオンにさせるプログラムステップと、キー操作前の処理モードが再生モードのとき処理モードを撮影モードに切換えさせるプログラムステップと、キー操作前の処理モードが撮影モードのとき処理モードを再生モードに切換えさせるプログラムステップと、を備えたことを特徴とするモード切換動作プログラムを提供する。  
これにより、キー操作前の電源の状態がオフのとき、キーが操作されると処理モードを撮影モードに切換えて電源をオンにし、キー操作前の電源の状態がオンのとき、処理モードをモード切換キーの操作前の処理モードとは異なるモードに切換えることができるので、電源がオフのときは、電源キー又はモード切換キーの操作で電源がオンとなって撮影可能状態となり、電源がオンの場合はモード切換えキーの操作でモードを切換えることができる。
【発明の効果】
【００１８】
本発明によれば、ボタン操作１回で撮影可能状態或いは再生可能状態となるので、電源オフの状態から電源オンの状態に切換えたときにモードが再生モードになっていても切換の手間がかからない。また、モードが撮影モードになっていても切換の手間がかからない。
【発明を実施するための最良の形態】
【００１９】
以下、本発明をデジタルカメラに適用した場合の各実施形態について図面を参照して説明する。
【００２０】
（実施形態１）  
本実施形態ではデジタルカメラは電源ボタンを備えなくてもよく、撮影モードボタンの操作で撮影モードに切換えられると同時に電源オンとなり、撮影可能状態となる。また、再生モードボタンの操作で再生モードに切換えられると同時に電源オンとなり、撮影可能状態となる。
【００２１】
図１はデジタルカメラの外観構成を示す図であり、図１（ａ）はカメラ上面の構成、図１（ｂ）はカメラ背面の構成を示す。また、図２は、モード切換えボタン等の操作時のデジタルカメラの動作パターンを示す図である。
【００２２】
デジタルカメラ１００の上面には図１（ａ）に示すように、シャッターボタン２とズームレバー３を配している。シャッターボタン２は撮影モード時にレリーズを指示する一方で、メニュー選択等では設定／実行を指示するキーとしても機能する。ズームレバー３はズーム操作を行うために用いられる。
【００２３】
また、デジタルカメラ１００の背面には図１（ｂ）に示すように、撮影モード（ＲＥＣ）ボタン４、再生モード（ＰＬＡＹ）ボタン５、光学ファインダ窓６、動作確認用ＬＥＤ７、フラッシュ用ＬＥＤ８、メニューキー９、十字キー１０、セットキー１１、液晶ディスプレイ１２、及びＤＩＳＰキー１３等が配されている。
【００２４】
撮影モードボタン４はモード切換等に用いられ、撮影モードボタン４を押したときに図２に示すように撮影モードボタン４が押される直前の状態が電源オフの場合は撮影モードになると共に略同時に電源オンとなり、直前の状態が再生モードの場合は撮影モードになり、直前の状態が撮影モードの場合は電源オフとなる。
【００２５】
再生モード（ＰＬＡＹ）ボタン５はモード切換等に用いられ、再生モードボタン５を押したときに図２に示すように再生モードボタン５が押される直前の状態が電源オフの場合は再生モードになると共に略同時に電源オンとなり、直前の状態が再生モードの場合は電源オフとなり、直前の状態が撮影モードの場合は再生モードとなる。
【００２６】
動作確認ＬＥＤ７は、例えば、撮影モード（及び電源オン）では赤、再生モード（及び電源オン）では青、電源オフでは消灯といったように、デジタルカメラ１００の状態に応じて所定色を発光する。表示部１２は、バックライト付きのカラー液晶パネルで構成され、撮影モード時には電子ファインダとしてモニタ表示を行う一方で、再生モード時には選択した画像を再生表示する。
【００２７】
なお、図示しないがデジタルカメラ１００の前面には、撮影レンズ、セルフタイマランプ、光学ファインダ窓、及びストロボ発光部等を配している。
【００２８】
また、上記説明では撮影モードボタン４と再生モードボタン５を独立のボタンとして配したが、電源オフ（ＯＦＦ）位置なしのスライドスイッチ、つまり、撮影モード切換え位置と再生モード切換え位置を有するスライドスイッチとしてもよい。
【００２９】
図３はデジタルカメラの電子回路構成例を示すブロック図である。撮影モードでのモニタリング状態においては、モータ（Ｍ）２１の駆動により絞り位置が移動され、撮影レンズを含む光学系２２の撮影光軸後方に配置された撮像素子であるＣＣＤ２３が、タイミング発生器（ＴＧ）２４、垂直ドライバ２５によって走査駆動され、一定周期毎に結像した光像に対応する光電変換出力を１画面分出力する。
【００３０】
この光電出力は、アナログ値の信号の状態でＲＧＢの各原色成分毎に適宜ゲイン調整された後に、サンプルホールド回路（Ｓ／Ｈ）２６でサンプルホールドされ、Ａ／Ｄ変換器２７でデジタルデータに変換され、カラープロセス回路２８で画像補間処理及びγ補正処理を含むカラープロセス処理が行われて、デジタル値の輝度信号Ｙ及び色差信号Ｃｂ、Ｃｒが生成され、ＤＭＡ（Direct Memory Access）コントローラ２９に出力される。
【００３１】
ＤＭＡコントローラ２９は、カラープロセス回路２８の出力する輝度信号Ｙ及び色差信号Ｃｂ、Ｃｒを、同じくカラープロセス回路２８からの複合同期信号、メモリ書き込みイネーブル信号、及びクロック信号を用いて一度ＤＭＡインターフェイス（Ｉ／Ｆ）３０を介してバッファメモリとして使用されるＤＲＡＭ３１にＤＭＡ転送する。
【００３２】
制御部３２は、ＣＰＵと、後述するモード切換動作プログラムを含み、ＣＰＵで実行される動作プログラムを固定的に記憶したＲＯＭ、及びワークメモリとして使用されるＲＡＭ等により構成され、このデジタルカメラ１００全体の制御動作を司り、上記輝度及び色差信号のＤＲＡＭ３１へのＤＭＡ転送終了後に、この輝度及び色差信号をＤＭＡインターフェイス３０を介してＤＲＡＭ３１から読出し、ＶＲＡＭコントローラ３３を介してＶＲＡＭ３４に書込む。
【００３３】
デジタルビデオエンコーダ３５は、上記輝度及び色差信号をＶＲＡＭコントローラ３３を介してＶＲＡＭ３４から定期的に読み出し、これらのデータを基にビデオ信号を生成して上記表示部１２に出力する。
【００３４】
表示部１２は、上述した如く撮影モード時にはモニタ表示部（電子ファインダ）として機能するもので、デジタルビデオエンコーダ３５からのビデオ信号に基づいた表示を行うことで、その時点でＶＲＡＭコントローラ３３から取込んでいる画像情報に基づく画像をリアルタイムに表示することになる。
【００３５】
このように表示部１２にその時点での画像がモニタ画像としてリアルタイムに表示されている状態で、静止画像表示を行いたいタイミングでキー入力部３６を構成する上記シャッターボタン２を操作するとトリガ信号を発生する。
【００３６】
制御部３２はこのトリガ信号に応じてその時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００３７】
この保存記録の状態では、制御部３２がＤＲＡＭ３１に書込まれている１フレーム分の輝度及び色差信号をＤＲＡＭインターフェイス３０を介してＹ、Ｃｂ、Ｃｒの各コンポーネント毎に縦８画素×横８画素の基本ブロックと呼称される単位で読み出してＪＰＥＧ（Joint Photograph cording Experts Group）回路３７に書込み、このＪＰＥＧ回路３７でＡＤＣＴ（Adaptive Discrete Cosine Transform：適応離散コサイン変換）、エントロピ符号化方式であるハフマン符号化等の処理によりデータ圧縮する。
【００３８】
そして、得た符号データを１画像のデータファイルとしてＪＰＥＧ回路３７から読出し、デジタルカメラ１００の記録媒体として着脱自在に装着されるメモリカード内に封入された、不揮発性メモリであるフラッシュメモリ３８に書込む。更に、フラッシュメモリ３８は上記メモリカードとは別にデジタルカメラ１００に内蔵されていてもよい。
【００３９】
そして１フレーム分の輝度及び色差信号の圧縮処理及びフラッシュメモリ３８への全圧縮データの書込み終了に伴って、制御部３２はＣＣＤ２３からＤＲＡＭ３１への経路を再び起動する。
【００４０】
キー入力部３６は、前述（図１）したシャッターボタン２、ズームレバー３、撮影モードボタン４、再生モードボタン５、メニューキー９、十字キー１０、セットキー１１、及びＤＩＳＰキー１３から構成され、それらのキー操作に伴う信号は直接制御部３２に送出される。
【００４１】
図２に示すように、ボタン操作前の状態が電源オフ（ＯＦＦ）のとき撮影モードボタン４が押されると制御部３２は処理モードを撮影モードに切換えると共に主電源をオン（ＯＮ）とする。また、ボタン操作前の状態が再生モードのとき撮影モードボタン４が押されると処理モードを撮影モードに切換え、ボタン操作前の状態が撮影モードのとき撮影モードボタン４が押されると主電源をオフとする。
【００４２】
また、ボタン操作前の状態が電源オフのとき再生モードボタン５が押されると制御部３２は処理モードを再生モードに切換えると共に主電源オンとする。また、ボタン操作前の状態が再生モードのとき再生モードボタン５が押されると主電源をオフとし、ボタン操作前の状態が撮影モードのとき再生モードボタン５が押されると処理モードを再生モードに切換える。
【００４３】
再生モード時には、制御部３２がフラッシュメモリ３８に記録されている画像データを選択的に読出し、ＪＰＥＧ回路３７で画像撮影モード時にデータ圧縮した手順とまったく逆の手順で圧縮されている画像データを伸張し、伸張した画像データをＶＲＡＭコントローラ３３を介してＶＲＡＭ３４に展開して記憶させた上で、このＶＲＡＭ３４から定期的に読出し、これらの画像データを基にビデオ信号を生成して表示部１２で再生出力させる。
【００４４】
＜切換え動作＞  
図４は、図１のデジタルカメラの動作例を示すフローチャートであり、撮影／再生モード切換動作プログラムに基づく制御部３２のＣＰＵの制御手順に相当する。以下、図１〜図３を基に説明する。なお、デジタルカメラ１００は主電源がオフの場合でも制御部３２による制御動作を可能とするように補助電源が供給されており、モード切換えボタン等の操作時の動作プログラムはＲＡＭに駐在しているものとする。
【００４５】
ＣＰＵはデジタルカメラ１００に備えられ、処理モードと主電源の現在の状態を示す状態フラグの値をＲＡＭの所定エリアにそれぞれコピーする（ステップＳ１）。
【００４６】
撮影又は再生を行うために、ユーザは先ず撮影モードボタン４又は再生モードボタン５を押してデジタルカメラ１００を撮影可能状態又は再生可能状態にする。そこで、ＣＰＵはキー入力部３６から送出される信号を調べ、撮影モードボタン４が押された場合はステップＳ３に進み、再生モードボタン５が押された場合にはステップＳ７に進み、その他のボタンが押された場合は押されたボタンに相当する処理を実行する（ステップＳ２）。
【００４７】
撮影モードボタン４が押された場合は、ＣＰＵはボタン操作前の状態を調べ、ボタン操作前（当該ボタンを押している途中、つまり、当該ボタンを押しきる前を含む、以下同じ）の状態が「主電源オフ」の場合はステップＳ４に進み、「再生モード」の場合はステップＳ５に進み、「撮影モード」の場合はステップＳ６に進む。撮影モードボタン４が押された後のデジタルカメラ１００の状態は撮影モードボタン４が押される前の状態とは異なるが、ＣＰＵはＲＡＭにコピーしてあるデジタルカメラ１００の状態フラグを調べることによりボタン操作前の状態を知ることができる（ステップＳ３）。
【００４８】
ボタン操作前の状態が「主電源オフ」の場合は、撮影モードに切換えると共に主電源をオンにして撮影可能状態とし、ユーザの次のキー（ボタン、スイッチ）操作（例えば、シャッターボタン２の押し下げによる撮影指示）を待つためステップＳ１に戻り（ステップＳ４）、ボタン操作前の状態が「再生モード」の場合は、処理モードを撮影モードに切換えて撮影可能状態とし、ユーザの次のキー操作を待つためステップＳ１に戻り（ステップＳ５）、ボタン操作前の状態が「撮影モード」の場合は、主電源をオフにする（ステップＳ６）。
【００４９】
また、再生モードボタン５が押された場合は、ＣＰＵはデジタルカメラ１００のボタン操作前の状態を調べ、ボタン操作前の状態が「主電源オフ」の場合はステップＳ８に進み、「再生モード」の場合はステップＳ９に進み、「撮影モード」の場合はステップＳ１０に進む（ステップＳ７）。
【００５０】
ボタン操作前の状態が「主電源オフ」の場合は、再生モードに切換えると共に主電源をオンにして再生可能状態とし、ユーザの次のキー操作（例えば、再生画像の選択操作）を待つためステップＳ１に戻り（ステップＳ８）、ボタン操作前の状態が「再生モード」の場合は主電源をオフにし（ステップＳ９）、ボタン操作前の状態が「撮影モード」の場合は、再生モードに切換えて再生可能状態とし、ユーザの次のキー操作を待つためステップＳ１に戻る（ステップＳ１０）。
【００５１】
上記構成により、主電源オフの状態や再生モードから直ちに撮影モードに切換えることができるので従来のようにモード切換の手間がかからず、急いでいる場合でも直ぐに撮影できる。また、主電源オフの状態や撮影モードから直ちに再生モードに切換えることができるので従来のようにモード切換の手間がかからない。また、主電源ボタンがなくても撮影モードボタン又は再生モードボタンの操作で主電源をオンとし撮影可能状態又は再生可能状態にできるので、ボタンを一つ減らすことができる。
【００５２】
なお、上記ステップＳ４で、「ボタン操作前の状態が「主電源オフ」の場合は、撮影モードに切換えると共に主電源をオンにして撮影可能状態とする」ようにしたが、「ボタン操作前の状態が「主電源オフ」の場合は、主電源をオンにすると共に撮影モードに切換える」ようにしてもよい。つまり、撮影モードで主電源がオンとなればよい。
【００５３】
また、上記ステップＳ８で、「ボタン操作前の状態が「主電源オフ」の場合は、再生モードに切換えると共に主電源をオンにして再生可能状態とする」ようにしたが、「ボタン操作前の状態が「主電源オフ」の場合は、主電源をオンにすると共に再生モードに切換える」ようにしてもよい。つまり、再生モードで主電源がオンとなればよい。
【００５４】
（実施形態２）  
前述した実施形態１では主電源ボタンを減らしても撮影モードボタン又は再生モードボタンの操作で主電源をオンとし撮影可能状態又は再生可能状態にできる例について述べたが、本実施形態ではさらにボタンを減らすことができる。
【００５５】
つまり、デジタルカメラは電源ボタン及び撮影モードボタンを備えなくてもよく、シャッターボタンの操作で撮影モードに切換えられると同時に電源オンとなり、撮影可能状態となる。また、再生モードボタンの操作で再生モードに切換えられると同時に電源オンとなり、撮影可能状態となる。
【００５６】
図５はデジタルカメラの外観構成を示す図であり、図５（ａ）はカメラ上面の構成、図５（ｂ）はカメラ背面の構成を示す。また、図６はモード切換えボタン等の操作時の図５のデジタルカメラの動作パターンを示す図である。
【００５７】
デジタルカメラ２００の上面には図５（ａ）に示すように、シャッターボタン２とズームレバー３を配している。シャッターボタン２は、図６に示すように操作前の状態が電源オフの場合に処理モードを撮影モードにすると共に主電源をオン（ＯＮ）とし、操作前の状態が再生モードの場合に処理モードを撮影モードに切換え、操作前の状態が撮影モードの場合にレリーズを指示するキーとして機能する一方で、メニュー選択等では設定／実行を指示するキーとしても機能する。ズームレバー３はズーム操作を行うために用いられる。
【００５８】
また、デジタルカメラ２００の背面には図５（ｂ）に示すように、再生モード（ＰＬＡＹ）ボタン５、光学ファインダ窓６、動作確認用ＬＥＤ７、フラッシュ用ＬＥＤ８、メニューキー９、十字キー１０、セットキー１１、液晶ディスプレイ１２、及びＤＩＳＰキー１３等が配されている。
【００５９】
再生モード（ＰＬＡＹ）ボタン５はモード切換等に用いられ、図６に示すように再生モードボタン５の操作前の状態が電源オフのとき再生モードボタン５が押されると再生モードになると共に略同時に電源オンとなり、操作前の状態が再生モードで再生モードボタン５が押されると電源オフとなり、操作前の状態が撮影モードで再生モードボタン５が押されると再生モードとなる。また、操作前の状態が再生モード或いは撮影モードで再生モードボタン５が長押しされると電源オフとなる。
【００６０】
以下、動作確認ＬＥＤ７〜ＤＩＳＰキー１３の配置や機能等は前述した実施形態１のデジタルカメラ１００の背面（図１（ｂ））と同様である。また、図示しない前面についてもデジタルカメラ１００と同様でよい（デジタルカメラ２００の各構成部分の符号はデジタルカメラ１００と同じ符号を付してある）。
【００６１】
また、デジタルカメラ２００の電子回路構成例についてもキー入力部３６の構成及び制御部３２のキー操作に関わる機能の一部が異なるほかは前述した実施形態１のデジタルカメラ１００の電子回路構成例と同様でよい（回路を示す符号も同じ符号とする）。
【００６２】
キー入力部３６は、前述（図５）したシャッターボタン２、ズームレバー３、再生モードボタン５、メニューキー９、十字キー１０、セットキー１１、及びＤＩＳＰキー１３、から構成され、それらのキー操作に伴う信号は直接制御部３２に送出される。
【００６３】
この際、制御部３２は、キー入力部３６を構成するシャッターボタン２を操作するとトリガ信号を発生し、このトリガ信号と、図６に示すようにシャッターボタン２の操作前の状態に応じて、操作前の状態が電源オフの場合に処理モードを撮影モードにすると共に主電源をオンとし、操作前の状態が再生モードの場合に処理モードを撮影モードにする。また、操作前の状態が撮影モードの場合に上述のトリガ信号に応じて撮影を行う（つまり、その時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する）。
【００６４】
また、制御部３２は、図６に示すように再生モードボタン５の操作前の状態が電源オフのとき再生モードボタン５が押されると制御部は処理モードを再生モードに切換えると共に主電源をオンとする。また、操作前の状態が再生モードのとき再生モードボタン５が押されると主電源をオフとし、操作前の状態が撮影モードのとき再生モードボタン５が押されると処理モードを再生モードに切換える。また、操作前の状態が再生モード或いは撮影モードで再生モードボタン５が長押しされると電源オフとする。
【００６５】
＜切換え動作＞  
図７は、図５のデジタルカメラの動作例を示すフローチャートであり、撮影／再生モード切換動作プログラムに基づく制御部３２のＣＰＵの制御手順に相当する。以下、図２、図５、及び図６を基に説明する。なお、デジタルカメラ２００は主電源がオフの場合でも制御部３２による制御動作を可能とするように補助電源が供給されており、モード切換えボタン等の操作時の動作プログラムはＲＡＭに駐在しているものとする。
【００６６】
ＣＰＵはデジタルカメラ２００に備えられ、処理モードと主電源の現在の状態を示す状態フラグの値をＲＡＭの所定エリアにそれぞれコピーする（ステップＴ１）。
【００６７】
ユーザは先ずシャッターボタン２又は再生モードボタン５を押してデジタルカメラ２００を撮影可能状態又は再生可能状態にする。そこで、ＣＰＵはキー入力部３６から送出される信号を調べ、シャッターボタン２が押された場合はステップＴ３に進み、再生モードボタン５が押された場合にはステップＴ７に進み、その他のボタンが押された場合は押されたボタンに相当する処理を実行する（ステップＴ２）。
【００６８】
シャッターボタン２が押された場合は、ＣＰＵはシャッター操作前の状態を調べ、シャッター操作前の状態が「主電源オフ」の場合はステップＴ４に進み、「再生モード」の場合はステップＴ５に進み、「撮影モード」の場合はステップＴ６に進む。シャッターボタン２が押された後のデジタルカメラ２００の状態はシャッターボタン２が押される直前の状態とは異なるが、ＣＰＵはＲＡＭにコピーしてあるデジタルカメラ２００の状態フラグを調べることによりシャッター操作前の状態を知ることができる（ステップＴ３）。
【００６９】
シャッター操作前の状態が「主電源オフ」の場合は、撮影モードに切換えると共に主電源をオンにして撮影可能状態とし、ユーザの次のキー（ボタン、スイッチ）操作を待つためステップＴ１に戻る（ステップＴ４）、シャッター操作前の状態が「再生モード」の場合は処理モードを撮影モードに切換えて撮影可能状態とし、ユーザの次のキー操作を待つためステップＴ１に戻る（ステップＴ５）、シャッター操作前の状態が「撮影モード」の場合は、撮影処理を実行し、撮影処理（画像記録を含む）が終了するとユーザの次のキー操作を待つためステップＴ１に戻る（ステップＴ６）。
【００７０】
また、再生モードボタン５が押された場合は、ＣＰＵはデジタルカメラ２００の再生ボタン操作前の状態を調べ、ボタン操作前の状態が「主電源オフ」の場合はステップＴ８に進み、「再生モード」の場合はステップＴ９に進み、「撮影モード」の場合はステップＴ１０に進む（ステップＴ７）。
【００７１】
再生ボタン操作前の状態が「主電源オフ」の場合は、再生モードに切換えると共に主電源をオンにして再生可能状態とし、ユーザの次のキー操作（例えば、再生画像の選択操作）を待つためステップＴ１に戻る（ステップＴ８）、再生ボタン操作前の状態が「再生モード」の場合は主電源をオフにする（ステップＴ９）。
【００７２】
再生モードボタン操作前の状態が「撮影モード」の場合は、ＣＰＵは再生ボタン５が長押しされているか（所定時間以上押されている）否かを調べ、長押しされている場合はステップＴ１２に進み（ステップＴ１０）、長押しされていなかった場合は再生モードに切換えて再生可能状態とし、ユーザの次のキー操作を待つためステップＴ１に戻る（ステップＴ１１）。再生ボタン５が長押しされた場合は再生モードを停止して主電源をオフにする（ステップＴ１２）。
【００７３】
上記構成により、主電源オフの状態や再生モードから直ちに撮影モードに切換えることができるので従来のようにモード切換の手間がかからない。また、シャッターボタンの操作で電源を入れて直ぐに撮影できるので、急いでいる場合にも直ぐに対応できる。また、主電源オフの状態や撮影モードから直ちに再生モードに切換えることができるので従来のようにモード切換の手間がかからない。また、主電源ボタン及び撮影モードボタンが無くてもシャッターボタン又は再生モードボタンの操作で主電源をオンとし撮影可能状態又は再生可能状態にできるので、ボタンを更に一つ減らすことができる。
【００７４】
なお、上記ステップＴ４で、「シャッター操作前の状態が「主電源オフ」の場合は、撮影モードに切換えると共に主電源をオンにして撮影可能状態とする」ようにしたが、「シャッター操作前の状態が「主電源オフ」の場合は、主電源をオンにすると共に撮影モードに切換える」ようにしてもよい。つまり、撮影モードで主電源がオンとなればよい。
【００７５】
また、上記ステップＴ８で、「再生ボタン操作前の状態が「主電源オフ」の場合は、再生モードに切換えると共に主電源をオンにして再生可能状態とする」ようにしたが、「再生ボタン操作前の状態が「主電源オフ」の場合は、主電源をオンにすると共に再生モードに切換える」ようにしてもよい。つまり、再生モードで主電源がオンとなればよい。
【００７６】
（実施形態３）  
前述した実施形態２ではシャッターボタン又は再生モードボタンの操作で主電源をオンとし撮影可能状態又は再生可能状態にできる例について述べたが、本実施形態では電源ボタン又はモード切換えボタンの操作で電源をオンとすると必ず撮影モードで電源オンとなり、モード切換えボタンでモードを切換えることができる。
【００７７】
つまり、デジタルカメラは電源ボタンの操作で撮影モードに切換えられると同時に電源オンとなり、撮影可能状態となる。また、撮影モードボタン及び再生モードボタンの代わりにモード切換ボタンを設け、モード切換えボタンの操作でモードを切換え、撮影可能状態又は再生可能状態となる。
【００７８】
図８はデジタルカメラの外観構成を示す図であり、図８（ａ）はカメラ上面の構成、図８（ｂ）はカメラ背面の構成を示す。また、図９はモード切換えボタン等の操作時の図８のデジタルカメラの動作パターンを示す図である。
【００７９】
デジタルカメラ３００の上面には図８（ａ）に示すように、電源ボタン１、シャッターボタン２、及びズームレバー３を配している。
【００８０】
電源ボタン１は１回押圧操作する毎に電源をオン／オフするキーであり、図９に示すように操作前の状態が電源オフの場合に処理モードを撮影モードにすると共に主電源をオンとし、操作前の状態が再生モード又は撮影モードの場合に主電源をオフするキーとして機能する。
【００８１】
シャッターボタン２は、撮影モードの場合にレリーズを指示するキーとして機能する一方で、メニュー選択等では設定／実行を指示するキーとしても機能する。ズームレバー３はズーム操作を行うために用いられる。
【００８２】
また、デジタルカメラ３００の背面には、光学ファインダ窓６、動作確認用ＬＥＤ７、フラッシュ用ＬＥＤ８、メニューキー９、十字キー１０、セットキー１１、及び液晶ディスプレイ１２、ＤＩＳＰキー１３、及びモード切換えボタン１４等が配されている。
【００８３】
モード切換えボタン１４は１回押圧操作する毎にモードを切換えるキーであり、図９に示すように、操作前の状態が電源オフのときに操作されると処理モードを撮影モードにすると共に主電源をオンとし、操作前の状態が再生モードの時は処理モードを撮影モードに切換え、操作前の状態が撮影モードの時は処理モードを再生モードに切換える機能を有するキーである。
【００８４】
以下、動作確認ＬＥＤ７〜ＤＩＳＰキー１３の配置や機能等は前述した実施形態１のデジタルカメラ１００の背面（図１（ｂ））と同様である。また、図示しない前面についてもデジタルカメラ１００と同様でよい（デジタルカメラ３００の各構成部分の符号はデジタルカメラ１００と同じ符号を付してある）。
【００８５】
また、デジタルカメラ３００の電子回路構成例についても制御部３２及びキー入力部３６の構成とキー操作に関わる制御部３２の機能の一部が異なるほかは前述した実施形態１のデジタルカメラ１００の電子回路構成例と同様でよい（回路を示す符号も同じ符号とする）。
【００８６】
本実施例では、キー入力部３６は、上述（図８）した電源ボタン１、シャッターボタン２、ズームレバー３、メニューキー９、十字キー１０、セットキー１１、ＤＩＳＰキー１３及びモード切換キー１４から構成され、それらのキー操作に伴う信号は直接制御部３２に送出される。
【００８７】
また、この際、制御部３２は、図９に示すように、電源ボタン１の操作前の状態が主電源オフの場合に処理モードを撮影モードにすると共に主電源をオン（ＯＮ）とし、操作前の状態が再生モード又は撮影モードの場合に主電源をオフにする。また、モード切換ボタン１４の操作前の状態が電源オフのときモード切換ボタン１４が押されると制御部３２は処理モードを撮影モードに切換えると共に主電源オンとする。また、モード切換ボタン操作前の状態が再生モードのときモード切換ボタン１４が押されると処理モードを再生モードに切換える。また、モード切換ボタン操作前の状態が撮影モードのときモード切換えボタン１４が押されると処理モードを再生モードに切換える。
【００８８】
＜切換え動作＞  
図１０は、図８のデジタルカメラの動作例を示すフローチャートであり、撮影／再生モード切換動作プログラムに基づく制御部３２のＣＰＵの制御手順に相当する。以下、図２、図８、及び図９を基に説明する。なお、デジタルカメラ３００は主電源がオフの場合でも制御部３２による制御動作を可能とするように補助電源が供給されており、モード切換えボタン等の操作時の動作プログラムはＲＡＭに駐在しているものとする。
【００８９】
ＣＰＵはデジタルカメラ３００に備えられ、処理モードと主電源の現在の状態を示す状態フラグの値をＲＡＭの所定エリアにそれぞれコピーする（ステップＵ１）。
【００９０】
ユーザは先ず電源ボタン１又はモード切換ボタン１４を押してデジタルカメラ３００を撮影可能状態又は再生可能状態にする。そこで、ＣＰＵはキー入力部３６から送出される信号を調べ、電源ボタン１が押された場合はステップＵ３に進み、モード切換ボタン１４が押された場合にはステップＵ７に進み、その他のボタンが押された場合は押されたボタンに相当する処理を実行する（ステップＵ２）。
【００９１】
電源ボタン１が押された場合は、ＣＰＵは電源ボタン操作前の状態を調べ、電源ボタン操作前の状態が「主電源オフ」の場合はステップＵ４に進み、「再生モード」の場合はステップＵ５に進み、「撮影モード」の場合はステップＵ６に進む。電源ボタン１が押された後のデジタルカメラ３００の状態は電源ボタン１が押される前の状態とは異なるが、ＣＰＵはＲＡＭにコピーしてあるデジタルカメラ３００の状態フラグを調べることにより電源ボタン操作前の状態を知ることができる（ステップＵ３）。
【００９２】
電源ボタン操作前の状態が「主電源オフ」の場合は、撮影モードに切換えると共に主電源をオンにして撮影可能状態とし、ユーザの次のキー（ボタン、スイッチ）操作を待つためステップＵ１に戻る（ステップＵ４）、電源ボタン操作前の状態が「再生モード」の場合は主電源をオフにする（ステップＵ５）、電源ボタン操作前の状態が「撮影モード」の場合は主電源をオフにする（ステップＵ６）。
【００９３】
また、モード切換えボタン１４が押された場合は、ＣＰＵはデジタルカメラ３００の再生ボタン操作前の状態を調べ、ボタン操作前の状態が「主電源オフ」の場合はステップＵ８に進み、「再生モード」の場合はステップＵ９に進み、「撮影モード」の場合はステップＵ１０に進む。デジタルカメラ３００の現在の状態はモード切換ボタン１４が押される直前の状態とは異なるが、ＣＰＵはＲＡＭにコピーしてあるデジタルカメラ３００の状態フラグを調べることによりモード切換ボタン操作前の状態を知ることができる（ステップＵ７）。
【００９４】
モード切換ボタン操作前の状態が「主電源オフ」の場合は、撮影モードに切換えると共に主電源をオンにして撮影可能状態とし、ユーザの次のキー操作（例えば、シャッターキー２の押し下げによる撮影指示）を待つためステップＵ１に戻る（ステップＵ８）、モード切換ボタン操作前の状態が「再生モード」の場合は、処理モードを撮影モードに切換えてユーザの次のキー操作を待つためステップＵ１に戻る（ステップＵ９）。
【００９５】
モード切換ボタン操作前の状態が「撮影モード」の場合は、ＣＰＵは処理モードを再生モードに切換えてユーザの次のキー操作を待つためステップＵ１に戻る（ステップＵ１０）。
【００９６】
上記構成により、電源オフの場合、電源ボタン或いはモード切換えボタンの操作で必ず撮影モードに切り替わると共に電源オンとなり、モード切換ボタンの操作により再生モードから直ちに撮影モードに切換わったり、撮影モードから直ちに再生モードに切換わるので従来のようにモード切換の手間がかからない。また、電源ボタン或いはモード切換えボタンの操作で電源が入り撮影可能状態となるので直ぐに撮影できるので、急いでいる場合にも直ぐに対応できる。
【００９７】
なお、モード切換ボタン１４を切換え後のモードに応じた発光を行うように構成し、上記ステップＵ８を「電源ボタン操作前の状態が「主電源オフ」の場合は、処理モードを撮影モードに切換えると共に主電源をオンにし、モード切換ボタン１４を赤色に発光させてから、ユーザの次のキー操作を待つためステップＵ１に戻る」とし、ステップＵ９を「電源ボタン操作前の状態が「再生モード」の場合は、処理モードを撮影モードに切換え、モード切換ボタン１４を赤色に発光させてから、ユーザの次のキー操作を待つためステップＵ１に戻る」とし、ステップＵ１０を「電源ボタン操作前の状態が「撮影モード」の場合は、処理モードを再生モードに切換えて再生可能状態とし、モード切換ボタン１４を緑色に発光させてから、ユーザの次のキー操作を待つためステップＵ１に戻る」としてもよい。
【００９８】
このように、モード切換ボタンを切換え後のモードに応じた発光を行うようにすることにより、ユーザは処理中のモードを確認することができる。
【００９９】
また、上記ステップＵ４で、「電源ボタン操作前の状態が「主電源オフ」の場合は、撮影モードに切換えると共に主電源をオンにして撮影可能状態とする」ようにしたが、「電源ボタン操作前の状態が「主電源オフ」の場合は、主電源をオンにすると共に撮影モードに切換える」ようにしてもよい。つまり、撮影モードで主電源がオンとなればよい。
【０１００】
また、上記ステップＵ８で、「モードボタン操作前の状態が「主電源オフ」の場合は、再生モードに切換えると共に主電源をオンにして再生可能状態とする」ようにしたが、「モードボタン操作前の状態が「主電源オフ」の場合は、主電源をオンにすると共に再生モードに切換える」ようにしてもよい。つまり、再生モードで主電源がオンとなればよい。
【０１０１】
以上、本発明のいくつかの実施例について説明したが本発明は上記各実施例に限定されるものではなく、種々の変形実施が可能であることはいうまでもない。また、上記各実施例の説明では、デジタルカメラを例として説明したが、本発明はデジタルカメラのような電子カメラに限定されず、撮像装置全般に適用できる。
【図面の簡単な説明】
【０１０２】
【図１】デジタルカメラの外観構成を示す図である。
【図２】モード切換えボタン等の操作時の図１のデジタルカメラの動作パターンを示す図である。
【図３】図１のデジタルカメラの電子回路構成例を示すブロック図である。
【図４】図１のデジタルカメラの動作例を示すフローチャートである。
【図５】デジタルカメラの外観構成を示す図である。
【図６】モード切換えボタン等の操作時の図５のデジタルカメラの動作パターンを示す図である。
【図７】図５のデジタルカメラの動作例を示すフローチャートである。
【図８】デジタルカメラの外観構成を示す図である。
【図９】モード切換えボタン等の操作時の図８のデジタルカメラの動作パターンを示す図である。
【図１０】図８のデジタルカメラの動作例を示すフローチャートである。
【符号の説明】
【０１０３】
１  電源ボタン（電源キー）
２  シャッターボタン（シャッターキー）
４  撮影モードボタン（撮影モードキー）
５  再生モードボタン（再生モードキー）
１４  モード切換えボタン（モード切換キー）
３２  制御部（第１の切換動作制御手段、第２の切換動作制御手段、第３の切換動作制御手段）
１００、２００、３００  デジタルカメラ（撮像装置）
【図１】
2005204109.tif 000003
【図２】
2005204109.tif 000004
【図３】
2005204109.tif 000005
【図４】
2005204109.tif 000006
【図５】
2005204109.tif 000007
【図６】
2005204109.tif 000008
【図７】
2005204109.tif 000009
【図８】
2005204109.tif 000010
【図９】
2005204109.tif 000011
【図１０】
2005204109.tif 000012
【手続補正書】
【提出日】平成16年12月1日(2004.12.1)
【手続補正１】
【補正対象書類名】特許請求の範囲
【補正対象項目名】全文
【補正方法】変更
【補正の内容】
【特許請求の範囲】
【請求項１】
ユーザによって適宜操作される、撮影モードキー及び再生モードキーと、
前記撮影モードキー及び前記再生モードキーの操作状態を検出する検出手段と、
前記検出手段によって前記モードキーいずれかの操作が検出されたとき、前記撮像装置の電源の状態がオフであった場合に、操作された前記モードキーのモードで前記撮像装置の電源をオンにする第１の切換動作制御手段と、
前記検出手段によって前記モードキーいずれかの操作が検出されたとき、前記撮像装置のモードが操作された前記モードキーのモードと異なる場合に、前記撮像装置のモードを操作されたモードキーのモードに切換える第２の切換動作制御手段と、
前記検出手段によって前記モードキーいずれかの操作が検出されたとき、前記撮像装置のモードが操作された前記モードキーと同一のモードの場合に、前記撮像装置の電源をオフにする第３の切換動作制御手段と、
を備えたことを特徴とする撮像装置。
【請求項２】
ユーザによって適宜操作される、シャッターキー及び再生モードキーと、
前記再生モードキーの操作の状態を検出する検出手段と、
前記シャッターキーの操作により、撮影モードで電源をオンにする第１の切換動作制御手段と、
前記検出手段によって再生モードキーの操作が検出されたときに前記撮像装置の状態が、再生モードと異なるときは前記再生モードキーの操作により前記撮像装置のモードを再生モードに切換え、再生モードのときは前記撮像装置の電源をオフにする第２の切換動作制御手段と、
を備えたことを特徴とする撮像装置。
【請求項３】
ユーザによって適宜操作される、電源キー及びモード切換キーと、
前記電源ボタン及びモード切換キーの操作状態を検出する検出手段と、
前記検出手段によってキー操作が検出されたとき前記撮像装置の電源の状態がオフのであれば、前記撮像装置を撮影モードで電源をオンにする第１の切換動作制御手段と、
前記検出手段によってモード切換キーの操作が検出されたとき前記撮像装置の電源の状態がオンであれば、前記撮像装置のモードをモード切換キーの操作前の処理モードとは異なるモードに切換える第２の切換動作制御手段と、
を備えたことを特徴とする撮像装置。
【請求項４】
ユーザによって適宜操作される、撮影モードキー及び再生モードキーと、
前記撮影モードキーの操作を検出する検出手段と、
前記検出手段によってキー操作が検出されたときに、前記撮像装置の電源の状態がオフであれば撮影モードで電源をオンにする手段と、前記撮像装置のモードが再生モードであれば前記撮像装置のモードを撮影モードに切換える手段と、前記撮像装置のモードが撮影モードであれば電源をオフにする手段と、を含む第１の切換動作制御手段と、
前記検出手段によって前記再生モードキーの操作が検出されたとき、前記撮像装置の電源の状態がオフであれば再生モードで電源をオンにする手段と、前記撮像装置のモードが再生モードであれば電源をオフにする手段と、前記撮像装置のモードが撮影モードであれば前記撮像装置のモードを再生モードに切換える手段と、を含む第２の切換動作制御手段と
を備えたことを特徴とする撮像装置。
【請求項５】
ユーザによって適宜操作される、シャッターキー及び再生モードキーと、
前記シャッターキーの操作があったとき、キー操作前の電源及び処理モードの状態を検出する手段と、検出されたキー操作時の前記撮像装置の電源の状態がオフのとき撮影モードで電源をオンにする手段と、キー操作時の前記撮像装置のモードが再生モードのとき前記撮像装置のモードを撮影モードに切換える手段と、キー操作時の前記撮像装置のモードが撮影モードのとき撮影指示を行う手段と、を含む第１の切換動作制御手段と、
前記再生モードキーの操作があったとき、キー操作時の前記撮像装置の電源及びモードの状態を検出する手段と、検出されたキー操作前の電源の状態がオフのとき再生モードで電源をオンにする手段と、キー操作時の前記撮像装置のモードが再生モードのとき前記撮像装置の電源をオフにする手段と、キー操作時の前記撮像装置のモードが撮影モードのときモードを再生モードに切換える手段と、キー操作時の状態が撮影モードのときキーが所定時間以上所定状態に維持されているときは前記撮像装置の電源をオフとする手段と、を含む第２の切換動作制御手段と
を備えたことを特徴とする撮像装置。
【請求項６】
ユーザによって適宜操作される、電源キー及びモード切換キーと、
前記電源キーの操作があったとき、キー操作前の電源及び処理モードの状態を検出する手段と、検出されたキー操作時の電源の状態がオフのとき撮影モードで電源をオンにする手段と、キー操作時の前記撮像装置のモードが再生モードのとき電源をオフにする手段と、キー操作時の前記撮像装置のモードが撮影モードのとき電源をオフにする手段と、を含む第１の切換動作制御手段と、
前記モード切換キーの操作があったとき、キー操作時の前記撮像装置の電源及びモードの状態を検出する手段と、検出されたキー操作時の電源の状態がオフのとき撮影モードで電源をオンにする手段と、キー操作時の前記撮像装置のモードが再生モードのときモードを撮影モードに切換える手段と、キー操作時の前記撮像装置のモードが撮影モードのときモードを再生モードに切換える手段と、を含む第２の切換動作制御手段と
を備えたことを特徴とする撮像装置。
【請求項７】
前記第２の切換動作制御手段は、前記モード切換キーの操作により、処理モードが撮影モードに切り替えられたときは該モード切換えキーを所定の色に発光させ、処理モードが再生モードに切り替えられたときは前記撮影モードでの発光色と異なる色に発光させる手段を含むことを特徴とする請求項３又は６に記載の撮像装置。
【請求項８】
撮影モードキーの操作の有無を検出させるプログラムステップと、
前記撮影モードキーの操作があったとき、キー操作時の撮像装置の電源及び処理モードの状態を検出させるプログラムステップと、
前記撮影モードキーの操作が検出された時の前記撮像装置の電源の状態がオフの場合は撮影モードで電源をオンにさせるプログラムステップと、
前記撮影モードキー操作時の前記撮像装置の処理モードが再生モードのとき処理モードを撮影モードに切換えさせるプログラムステップと、
前記撮影モードキー操作時の前記撮像装置の処理モードが撮影モードのとき前記撮像装置の電源をオフにさせるプログラムステップと、
再生モードキーの操作の有無を検出させるプログラムステップと、
前記再生モードキーの操作があったとき、キー操作時の前記撮像装置の電源及び処理モードの状態を検出させるプログラムステップと、
前記再生モードキーの操作が検出された時の前記撮像装置の電源の状態がオフの場合は再生モードで電源をオンにさせるプログラムステップと、
前記再生モードキー操作時の前記撮像装置の処理モードが再生モードのとき前記撮像装置の電源をオフにさせるプログラムステップと、
前記再生モードキー操作時の前記撮像装置の処理モードが撮影モードのとき処理モードを再生モードに切換えさせるプログラムステップと、
を備えたことを特徴とするモード切換動作プログラム。
【請求項９】
シャッターキーの操作の有無を検出させるプログラムステップと、
前記シャッターキーの操作があったとき、撮像装置の電源及び処理モードの状態を検出させるプログラムステップと、
検出された前記撮像装置の電源の状態がオフのとき撮影モードで前記撮像装置の電源をオンにさせるプログラムステップと、
検出された前記撮像装置の処理モードが再生モードのとき前記撮像装置の処理モードを撮影モードに切換えさせるプログラムステップと、
検出された前記撮像装置の処理モードが撮影モードのとき撮影指示を行うプログラムステップと、
再生モードキーの操作の有無を検出させるプログラムステップと、
前記再生モードキーの操作があったとき、電源及び処理モードの状態を検出するプログラムステップと、
検出された前記撮像装置の電源の状態がオフのとき再生モードで前記撮像装置の電源をオンにさせるプログラムステップと、
検出された前記撮像装置の処理モードが再生モードのとき前記撮像装置の電源をオフにさせるプログラムステップと、
検出された前記撮像装置の処理モードが撮影モードのとき前記撮像装置の処理モードを再生モードに切換えさせるプログラムステップと、
検出された前記撮像装置の状態が撮影モードのときで、前記再生モードキーが所定時間以上所定状態に維持されているときは前記撮像装置の電源をオフとさせるプログラムステップと、
を備えたモード切換動作プログラム。
【請求項１０】
電源キーの操作の有無を検出させるプログラムステップと、
前記電源キーの操作があったとき、撮像装置の電源及び処理モードの状態を検出させるプログラムステップと、
前記電源キーの操作があったとき、かつ前記撮像装置の電源の状態がオフのとき撮影モードで電源をオンにさせるプログラムステップと、
前記電源キーの操作があったとき、かつ前記撮像装置の処理モードが再生モードのとき電源をオフにさせるプログラムステップと、
前記電源キーの操作があったとき、かつ前記撮像装置の処理モードが撮影モードのとき電源をオフにさせるプログラムステップと、
モード切換キーの操作の有無を検出させるプログラムステップと、
前記モード切換キーの操作があったとき、前記撮像装置の電源及び処理モードの状態を検出させるプログラムステップと、
前記モード切換キーの操作があったとき、かつ前記撮像装置の電源の状態がオフのとき撮影モードで電源をオンにさせるプログラムステップと、
前記モード切換キーの操作があったとき、かつ前記撮像装置の処理モードが再生モードのとき処理モードを撮影モードに切換えさせるプログラムステップと、
前記モード切換キーの操作があったとき、かつ前記撮像装置の処理モードが撮影モードのとき処理モードを再生モードに切換えさせるプログラムステップと、
を備えたモード切換動作プログラム。
【請求項１１】
ユーザによって適宜操作される、撮影モードキー及び再生モードキーと、
前記撮影モードキー及び前記再生モードキーの操作状態を検出する検出手段と、
前記検出手段によって前記モードキーいずれかの操作が検出されたとき、前記撮像装置の電源の状態がオフであった場合に、操作されたモードキーのモードで前記撮像装置の電源をオンにする第１の切換動作制御手段と
を備えたことを特徴とする撮像装置。
【請求項１２】
さらに前記検出手段によって前記モードキーいずれかの操作が検出されたとき、前記撮像装置のモードが操作された前記モードキーのモードと異なる場合に、前記撮像装置のモードを操作された前記モードキーのモードに切換える第２の切換動作制御手段を備えたことを特徴とする請求項１１に記載の撮像装置。
【請求項１３】
さらに前記検出手段によって前記モードキーいずれかの操作が検出されたとき、前記撮像装置のモードが操作された前記モードキーと同一のモードの場合に、前記撮像装置の電源をオフにする第３の切換動作制御手段を備えたことを特徴とする請求項１１又は１２に記載の撮像装置。
【手続補正２】
【補正対象書類名】明細書
【補正対象項目名】０００８
【補正方法】変更
【補正の内容】
【０００８】
上記課題を解決するために、請求項１記載の発明では、ユーザによって適宜操作される、撮影モードキー及び再生モードキーと、前記撮影モードキー及び前記再生モードキーの操作状態を検出する検出手段と、前記検出手段によって前記モードキーいずれかの操作が検出されたとき、前記撮像装置の電源の状態がオフであった場合に、操作された前記モードキーのモードで前記撮像装置の電源をオンにする第１の切換動作制御手段と、前記検出手段によって前記モードキーいずれかの操作が検出されたとき、前記撮像装置のモードが操作された前記モードキーのモードと異なる場合に、前記撮像装置のモードを操作されたモードキーのモードに切換える第２の切換動作制御手段と、前記検出手段によって前記モードキーいずれかの操作が検出されたとき、前記撮像装置のモードが操作された前記モードキーと同一のモードの場合に、前記撮像装置の電源をオフにする第３の切換動作制御手段とを備えたことを特徴とする。
これにより、電源がオフのときは、たとえば撮影モードボタンを押すだけで電源オンとなって撮影可能状態となり、また再生モードボタンを押すだけで電源オンとなり再生可能状態となるので、電源ボタンを要しないでキーを１回操作するだけで切換えができるので切換え操作が簡単になる。
【手続補正３】
【補正対象書類名】明細書
【補正対象項目名】０００９
【補正方法】変更
【補正の内容】
【０００９】
また、請求項２に記載の発明では、ユーザによって適宜操作される、シャッターキー及び再生モードキーと、前記再生モードキーの操作の状態を検出する検出手段と、前記シャッターキーの操作により、撮影モードで電源をオンにする第１の切換動作制御手段と、前記検出手段によって再生モードキーの操作が検出されたときに前記撮像装置の状態が、再生モードと異なるときは前記再生モードキーの操作により前記撮像装置のモードを再生モードに切換え、再生モードのときは前記撮像装置の電源をオフにする第２の切換動作制御手段とを備えたことを特徴とする。
これにより、電源がオフのときは、シャッターキーの操作で電源がオンとなって撮影可能状態となり、再生モードボタンを押すだけで電源オンとなり再生可能状態となるので、電源キー及び撮影モードキーを要しないでキーを１回操作するだけで切換えができるので切換え操作が簡単になる。
【手続補正４】
【補正対象書類名】明細書
【補正対象項目名】００１０
【補正方法】変更
【補正の内容】
【００１０】
また、請求項３に記載の発明では、ユーザによって適宜操作される、電源キー及びモード切換キーと、前記電源ボタン及びモード切換キーの操作状態を検出する検出手段と、前記検出手段によってキー操作が検出されたとき前記撮像装置の電源の状態がオフのであれば、前記撮像装置を撮影モードで電源をオンにする第１の切換動作制御手段と、前記検出手段によってモード切換キーの操作が検出されたとき前記撮像装置の電源の状態がオンであれば、前記撮像装置のモードをモード切換キーの操作前の処理モードとは異なるモードに切換える第２の切換動作制御手段とを備えたことを特徴とする。
これにより、電源がオフのときは、電源キー又はモード切換キーの操作で電源がオンとなって撮影可能状態となり、電源がオンの場合はモード切換えキーの操作でモードを切換えることができるので、切換えの手間がかからず、切換え操作が簡単になる。
【手続補正５】
【補正対象書類名】明細書
【補正対象項目名】００１１
【補正方法】変更
【補正の内容】
【００１１】
また、請求項４に記載の発明では、ユーザによって適宜操作される、撮影モードキー及び再生モードキーと、
前記撮影モードキーの操作を検出する検出手段と、
前記検出手段によってキー操作が検出されたときに、前記撮像装置の電源の状態がオフであれば撮影モードで電源をオンにする手段と、前記撮像装置のモードが再生モードであれば前記撮像装置のモードを撮影モードに切換える手段と、前記撮像装置のモードが撮影モードであれば電源をオフにする手段と、を含む第１の切換動作制御手段と、
前記検出手段によって前記再生モードキーの操作が検出されたとき、前記撮像装置の電源の状態がオフであれば再生モードで電源をオンにする手段と、前記撮像装置のモードが再生モードであれば電源をオフにする手段と、前記撮像装置のモードが撮影モードであれば前記撮像装置のモードを再生モードに切換える手段と、を含む第２の切換動作制御手段と、を備えたことを特徴とする。
これにより、電源オフの状態や再生モードから直ちに撮影モードに切換えることができるので従来のようにモード切換の手間がからず、急いでいる場合でも直ぐに撮影できる。また、源オフの状態や撮影モードから直ちに再生モードに切換えることができるので従来のようにモード切換の手間がからない。また、電源キーがなくても撮影モードキー又は再生モードキーの操作で電源をオンとし撮影可能状態又は再生可能状態にできる。
【手続補正６】
【補正対象書類名】明細書
【補正対象項目名】００１２
【補正方法】変更
【補正の内容】
【００１２】
また、請求項５に記載の発明では、ユーザによって適宜操作される、シャッターキー及び再生モードキーと、
前記シャッターキーの操作があったとき、キー操作前の電源及び処理モードの状態を検出する手段と、検出されたキー操作時の前記撮像装置の電源の状態がオフのとき撮影モードで電源をオンにする手段と、キー操作時の前記撮像装置のモードが再生モードのとき前記撮像装置のモードを撮影モードに切換える手段と、キー操作時の前記撮像装置のモードが撮影モードのとき撮影指示を行う手段と、を含む第１の切換動作制御手段と、
前記再生モードキーの操作があったとき、キー操作時の前記撮像装置の電源及びモードの状態を検出する手段と、検出されたキー操作前の電源の状態がオフのとき再生モードで電源をオンにする手段と、キー操作時の前記撮像装置のモードが再生モードのとき前記撮像装置の電源をオフにする手段と、キー操作時の前記撮像装置のモードが撮影モードのときモードを再生モードに切換える手段と、キー操作時の状態が撮影モードのときキーが所定時間以上所定状態に維持されているときは前記撮像装置の電源をオフとする手段と、を含む第２の切換動作制御手段と、
を備えたことを特徴とする。
これにより、電源オフの状態や再生モードから直ちに撮影モードに切換えることができるので従来のようにモード切換の手間がからない。また、シャッターキーの操作で電源を入れて直ぐに撮影できるので、急いでいる場合にも直ぐに対応できる。また、電源オフの状態や撮影モードから直ちに再生モードに切換えることができるので従来のようにモード切換の手間がからない。また、主電源ボタン及び撮影モードボタンが無くてもシャッターキー又は再生モードキーの操作で電源をオンとし撮影可能状態又は再生可能状態にできる。
【手続補正７】
【補正対象書類名】明細書
【補正対象項目名】００１３
【補正方法】変更
【補正の内容】
【００１３】
また、請求項６に記載の発明では、ユーザによって適宜操作される、電源キー及びモード切換キーと、
前記電源キーの操作があったとき、キー操作前の電源及び処理モードの状態を検出する手段と、検出されたキー操作時の電源の状態がオフのとき撮影モードで電源をオンにする手段と、キー操作時の前記撮像装置のモードが再生モードのとき電源をオフにする手段と、キー操作時の前記撮像装置のモードが撮影モードのとき電源をオフにする手段と、を含む第１の切換動作制御手段と、
前記モード切換キーの操作があったとき、キー操作時の前記撮像装置の電源及びモードの状態を検出する手段と、検出されたキー操作時の電源の状態がオフのとき撮影モードで電源をオンにする手段と、キー操作時の前記撮像装置のモードが再生モードのときモードを撮影モードに切換える手段と、キー操作時の前記撮像装置のモードが撮影モードのときモードを再生モードに切換える手段と、を含む第２の切換動作制御手段と、
を備えたことを特徴とする。
これにより、電源オフの場合、電源キー或いはモード切換キーの操作で必ず撮影モードに切り替わると共に電源オンとなり、電源がオンのときは、モード切換キーの操作により再生モードから直ちに撮影モードに切り換わったり、撮影モードから直ちに再生モードに切換わるので従来のようにモード切換の手間がからない。また、電源キー或いはモード切換えキーの操作で電源が入り撮影可能状態となり、直ぐに撮影できるので、急いでいる場合にも対応できる。
【手続補正８】
【補正対象書類名】明細書
【補正対象項目名】００１４
【補正方法】変更
【補正の内容】
【００１４】
また、請求項７に記載の発明では、第２の切換動作制御手段は、前記モード切換キーの操作により、処理モードが撮影モードに切り替えられたときは該モード切換えキーを所定の色に発光させ、処理モードが再生モードに切り替えられたときは撮影モードでの発光色と異なる色に発光させる手段を含むことを特徴とする請求項３又は６に記載の撮像装置を提供する。これにより、前記モード切換キーを切換え後のモードに応じて発光させるので、ユーザは現在のモードを確認することができる。
【手続補正９】
【補正対象書類名】明細書
【補正対象項目名】００１５
【補正方法】変更
【補正の内容】
【００１５】
また、請求項８に記載の発明では、前記撮影モードキーの操作の有無を検出させるプログラムステップと、
前記撮影モードキーの操作があったとき、キー操作時の前記撮像装置の電源及び処理モードの状態を検出させるプログラムステップと、
前記撮影モードキーの操作が検出された時の前記撮像装置の電源の状態がオフの場合は撮影モードで電源をオンにさせるプログラムステップと、
前記撮影モードキー操作時の前記撮像装置の処理モードが再生モードのとき処理モードを撮影モードに切換えさせるプログラムステップと、
前記撮影モードキー操作時の前記撮像装置の処理モードが撮影モードのとき前記撮像装置の電源をオフにさせるプログラムステップと、
前記再生モードキーの操作の有無を検出させるプログラムステップと、
前記再生モードキーの操作があったとき、キー操作時の前記撮像装置の電源及び処理モードの状態を検出させるプログラムステップと、
前記再生モードキーの操作が検出された時の前記撮像装置の電源の状態がオフの場合は再生モードで電源をオンにさせるプログラムステップと、
前記再生モードキー操作時の前記撮像装置の処理モードが再生モードのとき前記撮像装置の電源をオフにさせるプログラムステップと、
キー操作時の前記撮像装置の処理モードが撮影モードのとき処理モードを再生モードに切換えさせるプログラムステップと、
を備えたことを特徴とする。
これにより、キー操作前の電源の状態がオフのとき、処理モードを操作されたモードキーと同一のモードにして電源をオンにし、キー操作時の処理モードが操作されたモードキーと異なるモードのとき、処理モードを操作されたモードキーと同一のモードに切換え、キー操作時の処理モードが操作されたモードキーと同一のモードのとき、電源をオフにすることができるので、電源オフの状態や再生モードから直ちに撮影モードに切換えることができる。
【手続補正１０】
【補正対象書類名】明細書
【補正対象項目名】００１６
【補正方法】変更
【補正の内容】
【００１６】
また、請求項９に記載の発明では、前記シャッターキーの操作の有無を検出させるプログラムステップと、
前記シャッターキーの操作があったとき、前記撮像装置の電源及び処理モードの状態を検出させるプログラムステップと、
検出された前記撮像装置の電源の状態がオフのとき撮影モードで前記撮像装置の電源をオンにさせるプログラムステップと、
検出された前記撮像装置の処理モードが再生モードのとき前記撮像装置の処理モードを撮影モードに切換えさせるプログラムステップと、
検出された前記撮像装置の処理モードが撮影モードのとき撮影指示を行うプログラムステップと、
前記再生モードキーの操作の有無を検出させるプログラムステップと、
前記再生モードキーの操作があったとき、電源及び処理モードの状態を検出するプログラムステップと、
検出された前記撮像装置の電源の状態がオフのとき再生モードで前記撮像装置の電源をオンにさせるプログラムステップと、
検出された前記撮像装置の処理モードが再生モードのとき前記撮像装置の電源をオフにさせるプログラムステップと、
検出された前記撮像装置の処理モードが撮影モードのとき前記撮像装置の処理モードを再生モードに切換えさせるプログラムステップと、
検出された前記撮像装置の状態が撮影モードのときで、前記再生モードキーが所定時間以上所定状態に維持されているときは前記撮像装置の電源をオフとさせるプログラムステップと、
を備えたことを特徴とするモード切換動作プログラムを提供する。
これにより、シャッターキーの操作により、処理モードを操作された撮影モードにし、キー操作前の状態が再生モードと異なるときは再生モードキーの操作により処理モードを再生モードに切換え、再生モードのときは電源をオフにできるので、電源がオフのときは、シャッターキーの操作で電源がオンとなって撮影可能状態となり、再生モードボタンを押すだけで電源オンとなり再生可能状態となる。
【手続補正１１】
【補正対象書類名】明細書
【補正対象項目名】００１７
【補正方法】変更
【補正の内容】
【００１７】
また、請求項１０に記載の発明では、前記電源キーの操作の有無を検出させるプログラムステップと、
前記電源キーの操作があったとき、前記撮像装置の電源及び処理モードの状態を検出させるプログラムステップと、
前記電源キーの操作があったとき、かつ前記撮像装置の電源の状態がオフのとき撮影モードで電源をオンにさせるプログラムステップと、
前記電源キーの操作があったとき、かつ前記撮像装置の処理モードが再生モードのとき電源をオフにさせるプログラムステップと、
前記電源キーの操作があったとき、かつ前記撮像装置の処理モードが撮影モードのとき電源をオフにさせるプログラムステップと、
前記モード切換キーの操作の有無を検出させるプログラムステップと、
前記モード切換キーの操作があったとき、前記撮像装置の電源及び処理モードの状態を検出させるプログラムステップと、
前記モード切換キーの操作があったとき、かつ前記撮像装置の電源の状態がオフのとき撮影モードで電源をオンにさせるプログラムステップと、
前記モード切換キーの操作があったとき、かつ前記撮像装置の処理モードが再生モードのとき処理モードを撮影モードに切換えさせるプログラムステップと、
前記モード切換キーの操作があったとき、かつ前記撮像装置の処理モードが撮影モードのとき処理モードを再生モードに切換えさせるプログラムステップと、
を備えたことを特徴とするモード切換動作プログラムを提供する。
これにより、キー操作時の電源の状態がオフのとき、キーが操作されると処理モードを撮影モードに切換えて電源をオンにし、キー操作前の電源の状態がオンのとき、処理モードをモード切換キーの操作前の処理モードとは異なるモードに切換えることができるので、電源がオフのときは、電源キー又はモード切換キーの操作で電源がオンとなって撮影可能状態となり、電源がオンの場合はモード切換えキーの操作でモードを切換えることができる。
【手続補正１２】
【補正対象書類名】明細書
【補正対象項目名】００１８
【補正方法】変更
【補正の内容】
【００１８】
本発明によれば、たとえばボタン操作１回で撮影可能状態或いは再生可能状態となるので、電源オフの状態から電源オンの状態に切換えたときにモードが再生モードになっていても切換の手間がかからない。